(57)【要約】【課題】ユーザが自分のジョブの処理状況を容易に把握できる画像処理装置等を提供する。【解決手段】ジョブ受信手段１８２によりユーザ端末２（３）（４）からのジュブが受信された際に、ユーザ判別手段１１によりジョブ送信元のユーザが判別され、受信したジョブが判別されたユーザ固有のジョブであることを示すユーザ表示情報が取得手段１１により取得される。取得されたユーザ表示情報の表示形態がジョブの内容に応じて変更され、変更されたユーザ表示情報が表示手段１９に表示される。【選択図】  図４
2010004408.tif 000002
【特許請求の範囲】
【請求項１】
複数のユーザ端末にネットワークを介して接続されて該ユーザ端末からのジョブを受信するジョブ受信手段と、
前記受信したジョブの送信元ユーザを判別するユーザ判別手段と、
前記受信したジョブが前記判別手段により判別されたユーザの固有のジョブであることを示すユーザ表示情報を取得する取得手段と、
取得されたユーザ表示情報の表示形態を、ジョブの内容に応じて変更する変更手段と、
表示形態を変更された前記ユーザ表示情報を表示する表示手段と、
を備えていることを特徴とする画像処理装置。
【請求項２】
前記ユーザ表示情報は、ユーザ毎に予め決められており、それぞれ異なる色及び／または形状で区別されるようになっている請求項１に記載の画像処理装置。
【請求項３】
前記ユーザ表示情報は画像からなる請求項１または２に記載の画像処理装置。
【請求項４】
前記表示手段は装置本体の正面または側面に配置されている請求項１〜３のうちのいずれかに記載の画像処理装置。
【請求項５】
前記ジョブの内容とはプリントに要する時間であり、該時間は、ジョブのプリント枚数、ファイルサイズ、ファイル形式、プリント設定に基づいて予め決められたものである請求項１〜４のうちのいずれかに記載の画像処理装置。
【請求項６】
前記表示手段は正面形状が長方形であり、水平あるいは垂直方向に沿って一列に、各ジョブについてのユーザ表示情報を表示可能である請求項４に記載の画像処理装置。
【請求項７】
複数のユーザ端末にネットワークを介して接続されて該ユーザ端末からのジョブを受信するステップと、
前記受信したジョブの送信元ユーザを判別するステップと、
前記受信したジョブが前記判別ステップにより判別されたユーザの固有のジョブであることを示すユーザ表示情報を取得するステップと、
取得されたユーザ表示情報の表示形態を、ジョブの内容に応じて変更するステップと、
表示形態を変更された前記ユーザ表示情報を表示手段に表示するステップと、
を備えていることを特徴とする画像処理装置における情報表示方法。
【請求項８】
複数のユーザ端末にネットワークを介して接続されて該ユーザ端末からのジョブを受信するステップと、
前記受信したジョブの送信元ユーザを判別するステップと、
前記受信したジョブが前記判別ステップにより判別されたユーザの固有のジョブであることを示すユーザ表示情報を取得するステップと、
取得されたユーザ表示情報の表示形態を、ジョブの内容に応じて変更するステップと、
表示形態を変更された前記ユーザ表示情報を表示手段に表示するステップと、
を画像処理装置のコンピュータに実行させるための情報表示プログラム。
【発明の詳細な説明】
【技術分野】
【０００１】
この発明は、複数のユーザ端末にネットワークを介して接続されたＭＦＰ（Multi Function Peripherals) 等に適用される画像処理装置、同装置における情報表示方法及び情報表示プログラムに関する。
【背景技術】
【０００２】
従来、複数のユーザ端末にネットワークを介して接続された画像処理装置として、ユーザ端末から送信されたジョブの受信完了や受信ジョブのプリント完了等の情報を、装置本体もしくは付設の表示装置に表示してユーザに通知するようにしたものが知られている。
【０００３】
また、プリンタドライバや専用アプリケーションを通じて、パーソナルコンピュータ（ＰＣという）画面にプリンタ動作情報を表示することにより、その内容とそのページ数の情報をユーザに通知するようにしたものも知られている。
【０００４】
一方、従来、入力されたジョブを蓄積し、蓄積されたジョブを実行する順に表示部に表示し、実行前のジョブであれば、印刷設定を変更できるようにした技術が提案されている（例えば、特許文献１参照）。
【０００５】
さらに、本体上部に報知部を設け、この報知部の発光、文字表示、その他のサインにより、ユーザに対し印刷対応可能なプリンタを報知するようにした技術が提案されている（例えば、特許文献２参照）。
【特許文献１】特開２００２−１３５４９４号公報
【特許文献２】特願２００４−１７８３９０号公報
【発明の開示】
【発明が解決しようとする課題】
【０００６】
しかし、従来では、ジョブの受信やプリント完了を表示するだけであり、当該ジョブのユーザがジョブの完了時間を推測することができないので、当該ユーザは表示される情報を見逃さないように表示画面をずっと注視しておかなければならない。
【０００７】
ユーザが表示された情報を見逃さないように、情報を長時間表示し続けることも考えられるが、その間は他のユーザの情報を表示できないという問題がある。
【０００８】
また、プリンタドライバや専用アプリケーションを通じて、ＰＣ画面にプリンタ動作情報を表示するものでは、通知するポップアップやダイアログが画面を独占し、ＰＣによる作業の妨げとなる他、情報通知のための専用アプリケーションのインストールによってＰＣ動作が遅くなり、例えばソフト開発現場等では、そのようなソフトのインストールも好まれない。
【０００９】
一方、ジョブを実行順に蓄積する公知技術のものでは、ユーザは印刷完了までの時間を把握することができない。
【００１０】
また、発光、文字表示等が可能な報知部を設けた公知技術ものでは、一定時間に一人のユーザにしか情報を表示でないという問題がある。
【００１１】
この発明は、上記実情に鑑みてなされたものであり、ユーザが自分のジョブの処理状況を容易に把握できる画像処理装置を提供し、さらには画像処理装置における情報表示方法及び情報表示プログラムを提供することを課題としている。
【課題を解決するための手段】
【００１２】
上記課題は、以下の手段によって解決される。
（１）複数のユーザ端末にネットワークを介して接続されて該ユーザ端末からのジョブを受信するジョブ受信手段と、前記受信したジョブの送信元ユーザを判別するユーザ判別手段と、前記受信したジョブが前記判別手段により判別されたユーザの固有のジョブであることを示すユーザ表示情報を取得する取得手段と、取得されたユーザ表示情報の表示形態を、ジョブの内容に応じて変更する変更手段と、表示形態を変更された前記ユーザ表示情報を表示する表示手段と、を備えていることを特徴とする画像処理装置。
（２）前記ユーザ表示情報は、ユーザ毎に予め決められており、それぞれ異なる色及び／または形状で区別されるようになっている前項１に記載の画像処理装置。
（３）前記ユーザ表示情報は画像からなる前項１または２に記載の画像処理装置。
（４）前記表示手段は装置本体の正面または側面に配置されている前項１〜３のうちのいずれかに記載の画像処理装置。
（５）前記ジョブの内容とはプリントに要する時間であり、該時間は、ジョブのプリント枚数、ファイルサイズ、ファイル形式、プリント設定に基づいて予め決められたものである前項１〜４のうちのいずれかに記載の画像処理装置。
（６）前記表示手段は正面形状が長方形であり、水平あるいは垂直方向に沿って一列に、各ジョブについてのユーザ表示情報を表示可能である前項４に記載の画像処理装置。
（７）複数のユーザ端末にネットワークを介して接続されて該ユーザ端末からのジョブを受信するステップと、前記受信したジョブの送信元ユーザを判別するステップと、前記受信したジョブが前記判別ステップにより判別されたユーザの固有のジョブであることを示すユーザ表示情報を取得するステップと、取得されたユーザ表示情報の表示形態を、ジョブの内容に応じて変更するステップと、表示形態を変更された前記ユーザ表示情報を表示手段に表示するステップと、を備えていることを特徴とする画像処理装置における情報表示方法。
（８）複数のユーザ端末にネットワークを介して接続されて該ユーザ端末からのジョブを受信するステップと、前記受信したジョブの送信元ユーザを判別するステップと、前記受信したジョブが前記判別ステップにより判別されたユーザの固有のジョブであることを示すユーザ表示情報を取得するステップと、取得されたユーザ表示情報の表示形態を、ジョブの内容に応じて変更するステップと、表示形態を変更された前記ユーザ表示情報を表示手段に表示するステップと、を画像処理装置のコンピュータに実行させるための情報表示プログラム。
【発明の効果】
【００１３】
前項（１）に記載の発明によれば、ジョブ受信手段によりユーザ端末からのジョブが受信されると、ユーザ判別手段によりジョブ送信元のユーザがそれぞれ判別され、受信したジョブが判別されたユーザ固有のジョブであることを示すユーザ表示情報が取得される。そして、取得されたユーザ表示情報の表示形態がジョブの内容に応じて変更され、変更されたユーザ表示情報が表示手段に表示される。
【００１４】
つまり、ユーザ固有のジョブであることを示すユーザ表示情報の表示形態、例えばユーザ表示情報の大きさ等がジョブの内容、例えばプリント時間等に応じて変更されるとともに、各ジョブについてのユーザ表示情報が表示手段に表示されるので、ユーザは、その表示を見れば、自分のジョブの処理の状況を容易に把握できる。従って、各ユーザは、ジョブ完了まで画像処理装置の側で待機する必要もなくなる。
【００１５】
前項（２）に記載の発明によれば、前記ユーザ表示情報はユーザ毎に予め決められており、それぞれ異なる色及び／または形状で区別されるから、当該ユーザは自分のジョブであることを容易に認識することができる。
【００１６】
前項（３）に記載の発明によれば、前記ユーザ表示情報は画像からなるものであるので、他のユーザとの区別をつけやすくなる。
【００１７】
前項（４）に記載の発明によれば、前記表示手段が装置本体の正面または側面に配置されているので、表示されたユーザ表示情報を装置本体から離れた位置からでも見やすくなる。
【００１８】
前項（５）に記載の発明によれば、ジョブの内容がプリントに要する時間であり、このプリントに要する時間は、ジョブのプリント枚数、ファイルサイズ、ファイル形式、プリント設定に応じて予め決められたものであるので、ユーザは表示されたユーザ表示情報から自己のプリントジョブの処理状況を容易に把握できる。
【００１９】
前項（６）に記載の発明によれば、表示手段に複数のユーザ表示情報が一列に表示されるから、ユーザは自己のジョブ処理状況をより把握しやすくなる。
【００２０】
前項（７）に記載の発明によれば、ユーザ固有のジョブであることを示すユーザ表示情報の表示形態、例えばユーザ表示情報の大きさ等がジョブの内容、例えばプリント時間等に応じて変更されるとともに、各ジョブについてのユーザ表示情報が表示手段に表示されるので、ユーザは、その表示を見れば、自分のジョブの処理の状況を容易に把握できる。
【００２１】
前項（８）に記載の発明によれば、ユーザ端末からの各ジョブを受信し、ジョブ送信元のユーザをそれぞれ判別し、判別されたユーザについてのユーザ表示情報を取得し、ジョブの内容に応じてユーザ表示情報の表示態様を変更し、変更されたユーザ表示情報を表示手段に表示する処理を、画像処理装置のコンピュータに実行させることができる。
【発明を実施するための最良の形態】
【００２２】
以下、この発明の一実施形態を図面に基づいて説明する。
【００２３】
図１は、この発明の一実施形態に係る画像処理装置が用いられた情報表示システムを示す構成図である。
【００２４】
図１において、この情報表示システムは、画像処理装置としての多機能デジタル画像形成装置である前述のＭＦＰ１と、ユーザ端末としての複数（例えば３つ）のＰＣ２，３，４を備えており、これらＭＦＰ１と複数のユーザＰＣ２，３，４とは、ＬＡＮ等のネットワーク５を介して接続されている。
【００２５】
図２は、ＭＦＰ１の電気的構成を示すブロック図である。
【００２６】
図２おいて、このＭＦＰ１は、ＣＰＵ１１と、ＲＯＭ１２と、ＲＡＭ１３と、スキャナ部１４と、操作パネル部１５と、記憶部１６と、プリント部１７と、外部インターフェース（Ｉ／Ｆ）部１８と、表示装置１９とを備えている。
【００２７】
前記ＣＰＵ１は、画像処理装置１の全体の動作を制御する他に、この実施形態では、受信したジョブの送信元ユーザを判別するユーザ判別機能、受信したジョブが前記判別されたユーザの固有のジョブであることを示すユーザ表示情報を、記憶部１６等から取得する機能を有している。また、前記ユーザ表示情報を表示装置１９に表示する場合、受信ジョブの内容に応じてユーザ表示情報の表示形態を変更する制御も行う。
【００２８】
前記ＲＯＭ１２は、ＣＰＵ１１の動作プログラムを記憶するメモリであり、前記ＲＡＭ１３は、ＣＰＵ１１が前記動作プログラムに従って動作する際の作業領域を提供するメモリである。
【００２９】
前記スキャナ部１４は、原稿画像等を読み取って画像データを出力するものである。
【００３０】
前記操作パネル部１５は、ユーザがＭＦＰ１に対する指示を入力したり、ユーザにＭＦＰの動作状態やメッセージ等を表示するものであり、テンキー、スタートキー等を有するキー入力部１５１と、液晶タッチパネル等からなる表示部１５２とを備えている。
【００３１】
前記記憶部１６は、各種のデータやアプリケーションプログラム等を記憶する他に、受信ジョブを格納する。また、ユーザ固有の受信ジョブであることを示すユーザ表示情報が、ユーザと関連付けられて予め保存登録されている。
【００３２】
前記プリント部１７は、スキャナ部１４で読み取られた画像データ、あるいは受信したジョブに含まれる画像データ等を印刷するものである。
【００３３】
前記外部インターフェース（Ｉ／Ｆ）部１８は、前記ユーザ端末であ．ＰＣ２〜４等との間でデータの送受信を司るものであり、送信部１８１や受信部１８２を備えている。
【００３４】
前記表示装置１９は、前記ユーザ表示情報の表示形態を、受信したジョブの内容例えばジョブのプリントに要する時間に応じて変更して表示するものであり、画像処理装置１に付随的に設けられたものである。表示装置１９としては、例えばＬＣＤ、ＥＬ素子、ＬＥＤ、電子ペーパー等の各種表示材を使用可能である。
【００３５】
上記構成からなる情報表示システムでは、ネットワーク５上のユーザＰＣ２（３）（４）からＭＦＰ１にジョブが送信されると、ＭＦＰ１では、そのジョブを受信し、受信ジョブがどのユーザのものであるのかを判別する。
【００３６】
ついで、ＭＦＰ１では、受信ジョブのユーザの判別結果に基づいて、そのジョブが判別されたユーザの固有の受信ジョブであることを示す前記ユーザ表示情報を、前記記憶部１６から取得するとともに、受信したジョブの内容、例えばジョブのプリント完了に要する時間に応じて、表示態様を決定する。そして、ＭＦＰ１は、受信した各ジョブについて、表示形態を変更されたユーザ表示情報を、受信した順番に前記表示装置１９に表示する。ユーザは、その表示装置１９に表示されたユーザ表示情報を見て、プリント完了までの時間等を含むジョブの処理状況を把握することができる。
【００３７】
図３は、ＭＦＰ１により実行される、ジョブを受信した後ユーザ表示情報が表示されるまでの処理を示すフローチャートである。この処理は、ＭＦＰ１のＣＰＵ１１が、ＲＯＭ１２等の記録媒体に記録された動作プログラムに従って動作することにより実行される。
【００３８】
図３において、ステップＳ１１で、受信部１８２によりＰＣ２（３）（４）からのジョブを受信すると、ステップＳ１２で、受信したジョブがどのユーザからのものであるかを判別する。
【００３９】
次いで、ステップＳ１３では、ジョブ毎にプリント完了までに要する時間を計算して分類する。この例では、プリント完了に要する時間を、例えば「１分未満」、「１分以上３分未満」、「３分以上」の３つに分類している。
【００４０】
ステップＳ１４では、プリント完了までに要する時間が１分未満では、「プリント時間：小」とし、１分以上３分未満では、「プリント時間：中」とし、３分以上では、「プリント時間：大」としてある。
【００４１】
ついで、ステップＳ１５では、前記判別したユーザの情報に基づいて、ユーザ固有のジョブであることを示すユーザ表示情報を記憶部１６から取得するとともに、前記分類されたプリント完了までに要する時間に応じて、前記ユーザ表示情報の表示形態を変更する。そして、ステップＳ１６で、表示形態を変更されたユーザ表示情報を表示装置１９に表示したのち、処理を終了する。
【００４２】
このように、各受信ジョブについてユーザ表示情報が受信した順序換言すればジョブの実行順に表示手段に表示されるとともに、ユーザ表示情報の表示形態はジョブの内容に応じて変更されているので、各ユーザは、ユーザ表示情報の表示から自己のジョブの処理状況を容易に把握でき、ジョブがいつ頃実行されるか等を推測できる。従って、プリント完了まで画像処理装置の側で待機する必要もなくなる。また、複数のユーザが表示装置１９に表示されたユーザ表示情報を見て、それぞれジョブ処理状況をいつでも直ぐに把握できることになる。
【００４３】
図４（Ａ）〜（Ｄ）は、各ユーザのユーザ表示情報を、ユーザ毎に予め決められた色及び／または形状のマークで表して、前記表示部１９に表示した例を示す図である。この例では、表示形態としてマークの大きさ、マークに付したバーの長さ、マークの背景面積、マークの区切りの幅をそれぞれ変更している。
【００４４】
まず、図４（Ａ）においては、マークの大きさでジョブのプリントに要する時間を表している。
【００４５】
例えば星形マークや四角形のマーク等は、一番大きく、プリントに要する時間が３分以上であることを示している。また、例えば三角形のマークは、中くらいの大きさで、プリントに要する時間が１分以上３分未満であることが分かる。さらに、例えば白丸のマークは、一番小さく、プリントに要する時間が１分未満であることが分かる。従って、ユーザは自己が送信したジョブのプリント開始まで、どの程度時間がかかるか等を把握することができる。
【００４６】
図４（Ｂ）においては、マークの大きさは一定であり、マークの下のバー（例えば赤色バー）の長さでジョブのプリントに要する時間を表している。
【００４７】
例えば星形マークや四角形のマーク等は、バーの長さが一番長く、プリントに要する時間が３分以上であることを示している。また、例えば三角形のマークは、バーの長さが中くらいで、プリントに要する時間が１分以上３分未満であることを示している。さらに、例えば白丸のマークは、バーの長さが小さく、プリントに要する時間が１分未満であることを示している。
【００４８】
図４（Ｃ）においては、マークの大きさは一定であり、背景の面積でジョブのプリントに要する時間を表している。
【００４９】
例えば星形マークは、背景の面積が一番大きく、プリントに要する時間が３分以上であることを示している。また  例えば四角形のマークは、背景の面積が中くらいで、プリントに要する時間が１分以上３分未満であることを示している。さらに、例えば三角形マークや白丸のマーク等は、背景の面積がなく、プリントに要する時間が１分未満であることを示している。
【００５０】
図４（Ｄ）においては、マークの大きさは一定であり、マークの区切りの幅でジョブのプリントに要する時間を表している。
【００５１】
例えば星形マークは、区切りの幅が一番大きく、プリントに要する時間が３分以上であるとことを示している。また  例えば四角形のマークは、区切り幅が中くらいで、プリントに要する時間が１分以上３分未満であることを示している。さらに、例えば三角形マークは、区切り幅が小さく、プリントに要する時間が１分未満であることを示している。
【００５２】
ところで、ユーザ固有の受信ジョブを示す情報が、例えばマーク、記号、図形系等の画像からなるものである場合、ユーザの視認性が良く、しかも予め各種のマークを決めやすい。
【００５３】
このようなユーザ固有のジョブを示す情報は、例えば図５に示すように、ユーザが自分のＰＣ２（３）（４）にＭＦＰ１のドライバをインストールする際に、自己のジョブを示すマークがプリンタドライバによって自動的に決められる。そして、ユーザはＰＣ２（３）（４）のディスプレイ画面２１で自己のジョブを示すマークを容易に確認することができる。図５では、例えばプリンタＡを使用するユーザＡの受信ジョブを示すマークが星形で表示されている。
【００５４】
また、図６に示すように、プリンタドライバによってディスプレイ画面２１上に提示された複数のマーク候補の中からユーザが選べるようにしてもよい。
【００５５】
さらに、図７に示すように、管理者がマークを各ユーザに割り振るようにしてもよい。勿論、ユーザが自分でマークを作成するようにしてもよい。
【００５６】
こうして、作成された各ユーザのジョブを示すマークは、この実施形態ではＭＦＰ１にの記憶部１６に予め記憶登録されている。なお、ユーザがＰＣ２（３）（４）からＭＦＰ１にジョブを送信するときに、併せてマークについてのデータを送信し、この送信されたデータに基づいてＭＦＰ１がマークを取得しても良い。
【００５７】
ところで、前記表示装置１９は、ＭＦＰ１の外面の任意の個所に配置可能であるが、図８に示すように、ＭＦＰ１本体の正面や側面に設けると、ユーザが少し離れた場所からも表示装置１９の表示内容が見やすくなる。
【００５８】
図８（Ａ）では、表示装置１９が横長の長方形であり、ＭＦＰ１の本体の正面の上部に配置されている。
【００５９】
図８（Ｂ）では、表示装置１９が縦長の長方形であり、ＭＦＰ１の本体の正面に配置されている。
【００６０】
図８（Ｃ）では、表示装置１９が横長の長方形であり、ＭＦＰ１の本体の正面上部の幅方向全長に配置されている。
【００６１】
図８（Ｄ）では、表示装置１９が縦長の長方形であり、ＭＦＰ１本体の正面左端部に配置されている。
【００６２】
図８（Ｅ）では、表示装置１９が横長の長方形であり、ＭＦＰ１の本体の側面上部と付設機器１００の正面上部に、それぞれ配置されている。
【００６３】
図８（Ｆ）では、表示装置１９が縦長の長方形であり、ＭＦＰ１の本体の側面に配置され、さらに、付設機器１００の正面にも配置されている。
【００６４】
このように、ＭＦＰ１の本体の正面または側面等に設けられた表示装置１９には、図９および図１０に示すように、縦長もしくは横長の画面内に前記ユーザ固有のジョブであることを示すマーク（ユーザ表示情報）を、ジョブの実行順に一列に表示させているが、そのマークは、ユーザが離れた位置からでも容易に視認できる大きさに設定されている。
【００６５】
図９及び図１０の実施形態では、ＭＦＰ１がの受信部１８２がユーザ２（３）（４）からのジョブを受信すると、送信したユーザのマークが前記表示装置１９にジョブの実行順に表示され、プリントが完了したジョブのマークは、表示装置１９の画面から消え、次以降のマークが１つずつ矢印方向に推移するものとなされている。多数のジョブが溜まり、表示装置１９の画面内に表示しきれない場合は、先のジョブの処理が完了し、マークが消えて表示スペースが確保されてからマークを表示する。
【００６６】
このようなマークは、ジョブのプリント中のときに点滅したり、あるいは発光状態が強弱で変化するようにすれば、ジョブの処理状況がより一層分かりやすくなる。
【００６７】
なお、前記ジョブの内容であるプリントに要する時間は、ジョブのプリント枚数（ページ数）、ファイルサイズ、ファイル形式、プリント設定に応じて予め決められたものである。例えば、プリント枚数とファイルサイズは、プリントに要する時間と比例関係にある。
【００６８】
具体的には、モノクロ単一ジョブのプリントに要する時間よりもカラーとモノクロ混在ジョブのプリントに要する時間が長くなる。
【００６９】
また、テキストファイルのプリントに要する時間に比べてＰＤＦアファイルのプリントに要する時間が長くなる。
【００７０】
さらに、両面プリント／ステーブル等の仕上がり設定によって、プリントに要する時間が異なってくる。
【００７１】
また、プリントに要する時間を「小」、「中」、「大」の３種類に分けたが、例えば以下のように「特小」、「小」、「大」、「特大」の５段階に分類しても良い。
【００７２】
（Ａ）プリントに要する時間：３０秒未満→極小
（Ｂ）プリントに要する時間：３０秒以上１分未満→小
（Ｃ）プリントに要する時間：１分以上３分未満→中
（Ｄ）プリントに要する時間：３分以上５分未満→大
（Ｅ）プリントに要する時間：５分以上→特大
このように、プリント時間に要する時間の分類は、ジョブ処理内容に応じて任意に設定しておけばよい。
【００７３】
また、ユーザがＰＣ２（３）（４）から送信したジョブはプリントジョブに限定されることはなく、ＦＡＸ送信ジョブ等の他のジョブであっても良い。
【図面の簡単な説明】
【００７４】
【図１】この発明の一実施形態に係る画像処理装置が用いられた情報表示システムの構成図である。
【図２】画像処理装置の電気的構成を示すブロック図である。
【図３】ジョブを受信した後ユーザ表示情報を表示するまでの処理を示すフローチャートである。
【図４】ユーザ表示情報がマークである例の説明図である。
【図５】ユーザ表示情報がプリンタドライバによって決定される例を示す図である。
【図６】ユーザ表示情報の候補例を、プリンタドライバが提示した状態を示す図である。
【図７】ユーザ表示情報を管理者がユーザに割り振る例を示す図である。
【図８】画像処理装置に配置された表示装置の配置例を示す図である。
【図９】画像処理装置の正面に水平方向に沿って配置された長方形の表示装置におけるマーク表示状況の説明図である。
【図１０】画像処理装置の正面に垂直方向に沿って配置された長方形の表示装置におけるマーク表示状況の説明図である。
【符号の説明】
【００７５】
１      画像処理装置
２，３，４      ユーザ端末
５      ネットワーク
１１    ＣＰＵ
１６    記憶部
１９    表示装置
１８２  受信部
【図１】
2010004408.tif 000003
【図２】
2010004408.tif 000004
【図３】
2010004408.tif 000005
【図４】
2010004408.tif 000006
【図５】
2010004408.tif 000007
【図６】
2010004408.tif 000008
【図７】
2010004408.tif 000009
【図８】
2010004408.tif 000010
【図９】
2010004408.tif 000011
【図１０】
2010004408.tif 000012